(57)【要約】【課題】活字品質の高精細表示を行う表示デバイスを用い、かつ、人間工学を意識したコンポーネント配置を行うことにより、操作性の改善と使い勝手の向上を図った携帯情報機器及び画像表示方法を提供する。【解決手段】携帯情報機器において、活字品質の高精細表示を行うメインディスプレイ１、２を持つ表示デバイスが実装されているフレーム５、６は、結合部３において開閉自在に軸支されている。結合部３は、ヒンジ機構で構成され、結合部３を支点にメインディスプレイ１、２を見開き状態に設定して使用し、結合部３を支点にメインディスプレイ１、２を重ねて二つ折りに閉じて携帯できる。ジョグダイヤル４の回転によって、メインディスプレイ１、２に表示される画像を変更できる。フレーム６端部に、必要なスイッチ類である電源スイッチ７及びファンクションスイッチ８が実装される。【選択図】      図１
2004302179.tif 000002
【特許請求の範囲】
【請求項１】
２つの表示デバイスと、
前記２つの表示デバイスをそれぞれ実装する２つのフレームと、
それらのフレームを結合する結合部とを有し、
それぞれの前記表示デバイスは、階調のない画像表示を行う場合は１２７μｍ以下の画素サイズの画像表示を行う表示面を有し、
前記２つのフレームは、前記結合部によって開閉自在に軸支され、
前記２つのフレームを閉じたとき、前記結合部を支点に２つの表示部が重なって二つ折り状態になり、開いたとき、前記結合部を支点に２つの表示面が見開き状態になることを特徴とする携帯情報機器。
【請求項２】
２つの表示デバイスと、
前記２つの表示デバイスをそれぞれ実装する２つのフレームと、
それらのフレームを結合する結合部とを有し、
それぞれの前記表示デバイスは、階調のある画像表示を行う場合は８４．７μｍ以下の画素サイズの画像表示を行う表示面を有し、
前記２つのフレームは、前記結合部によって開閉自在に軸支され、
前記２つのフレームを閉じたとき、前記結合部を支点に２つの表示部が重なって二つ折り状態になり、開いたとき、前記結合部を支点に２つの表示面が見開き状態になることを特徴とする携帯情報機器。
【請求項３】
２つの表示デバイスと、
前記２つの表示デバイスをそれぞれ実装する２つのフレームと、
それらのフレームを結合する結合部とを有し、
それぞれの前記表示デバイスは、４２．３μｍ以下の画素サイズの画像表示を行う表示面を有し、
前記２つのフレームは、前記結合部によって開閉自在に軸支され、
前記２つのフレームを閉じたとき、前記結合部を支点に２つの表示部が重なって二つ折り状態になり、開いたとき、前記結合部を支点に２つの表示面が見開き状態になることを特徴とする携帯情報機器。
【請求項４】
前記結合部は、前記表示面に電子書籍を表示した場合、前記電子書籍の頁をめくる頁めくり機能を有することを特徴とする請求項１乃至請求項３のいずれか１項に記載の携帯情報機器。
【請求項５】
前記結合部の長手方向、下部に横回転する回転部を有することを特徴とする請求項１乃至請求項３のいずれか１項に記載の携帯情報機器。
【請求項６】
２つの表示デバイスと、
前記２つの表示デバイスをそれぞれ実装する２つのフレームと、
それらのフレームを結合する結合部とを有し、
それぞれの前記表示デバイスは表示面を有し、
前記結合部は長手方向、下部に横回転する回転部を有し、
前記２つのフレームは、前記結合部によって開閉自在に軸支され、
前記２つのフレームを閉じたとき、前記結合部を支点に２つの表示部が重なって二つ折り状態になり、開いたとき、前記結合部を支点に２つの表示面が見開き状態になることを特徴とする携帯情報機器。
【請求項７】
前記回転部は、結合部の長手方向、中央下部に横回転する縦長の回転部であり、
前記回転部の回転によって、前記表示面に表示される画像が変更されることを特徴とする請求項５又は請求項６に記載の携帯情報機器。
【請求項８】
前記２つのフレームのいずれか一方の端部に、前記携帯情報機器を操作するために必要なスイッチを有することを特徴とする請求項５又は請求項６に記載の携帯情報機器。
【請求項９】
２つの前記表示面を重ねて二つ折りに収納した状態で、前記スイッチが実装されない他方のフレームの、前記スイッチが実装されるフレームと重なる位置に、サブディスプレイを有することを特徴とする請求項８に記載の携帯情報機器。
【請求項１０】
前記結合部は、電源の状態を表示するインジケータを有し、
前記インジケータは、前記２つの表示面を重ねて二つ折りに収納した状態であっても外部から視認できることを特徴とする請求項１乃至請求項３のいずれか１項に記載の携帯情報機器。
【請求項１１】
２つの表示デバイスと、
前記２つの表示デバイスをそれぞれ実装する２つのフレームと、
それらのフレームを結合する結合部とを有し、
前記２つの表示デバイスは、所定の解像度の画像表示を行う第１の表示面と、前記第１の表示面より高い解像度で活字表示を行う第２の表示面とを有し、
前記２つのフレームは、前記結合部によって開閉自在に軸支され、
前記２つのフレームを閉じたとき、前記結合部を支点に前記第１の表示面と前記第２の表示面が重なって二つ折り状態になり、開いたとき、前記結合部を支点に前記第１の表示面と前記第２の表示面とが見開き状態になることを特徴とする携帯情報機器。
【請求項１２】
前記第１の表示面を有する表示デバイスが実装されるフレームの一部に太陽電池を有することを特徴とする請求項１１に記載の携帯情報機器。
【請求項１３】
表示面を有する表示デバイスが実装されるフレームと、
前記表示デバイスの表示面を保護する蓋と、
前記フレームと前記蓋を結合する結合部とを有し、
前記表示デバイスは、８４．７μｍ以下の画素サイズで画像表示可能な表示面を有し、
前記フレームと前記蓋とは、前記結合部によって開閉自在に軸支され、
前記蓋が前記フレームを保護するとき、前記結合部を支点に前記蓋を回転させて前記フレーム内の前記表示面を覆い、前記フレーム内の表示面を視認するとき、前記結合部を支点に前記蓋を回転させて表示面を露出することを特徴とする携帯情報機器。
【請求項１４】
前記表示面に表示する情報を無線通信により受信可能な通信部と、
前記表示面に表示された情報を操作するためのペンを格納する格納部と、
前記表示面に表示された情報を操作するためのスイッチと、
を有することを特徴とする請求項１３に記載の携帯情報機器。
【請求項１５】
前記表示面に表示された画像を横長又は縦長に変更可能な手段を有することを特徴とする請求項１３に記載の携帯情報機器。
【請求項１６】
前記フレームの長手方向の長さは、前記蓋の長手方向の長さより大きいことを特徴とする請求項１３に記載の携帯情報機器。
【請求項１７】
前記蓋と前記フレームとが閉じた状態において、前記蓋で覆われていない前記フレームの一部にサブディスプレイを有することを特徴とする請求項１６に記載の携帯情報機器。
【請求項１８】
前記蓋と前記フレームとが閉じた状態において、前記蓋で覆われていない前記フレームの一部に太陽電池を有することを特徴とする請求項１６に記載の携帯情報機器。
【請求項１９】
請求項５に記載の携帯情報機器における画像表示方法であって、
前記見開き状態の前記２つの表示面に電子書籍を表示し、前記回転部を操作することで前記電子書籍の頁めくりを行うことを特徴とする画像表示方法。
【請求項２０】
請求項９に記載の携帯情報機器における画像表示方法であって、
前記見開き状態の前記２つの表示面に電子書籍を表示し、前記回転部を操作することで前記電子書籍の頁めくりを行い、前記頁めくりに対応して前記表示面に表示された電子書籍の頁位置を含む書誌情報を前記サブディスプレイに表示することを特徴とする画像表示方法。
【請求項２１】
請求項１１に記載の携帯情報機器における画像表示方法であって、
前記第１の表示面にＷｅｂ画面を表示し、前記第２の表示面に電子書籍を表示することを特徴とする画像表示方法。
【請求項２２】
請求項１７に記載の携帯情報機器における画像表示方法であって、
前記サブディスプレイに、前記表示面に表示されている画像の内容を示唆する情報を表示することを特徴とする画像表示方法。
【発明の詳細な説明】
【０００１】
【発明の属する技術分野】
本発明は、携帯情報機器及びその携帯情報機器における画像表示方法に関する。
【０００２】
【従来の技術】
書籍等の印刷メディアから得られる画像情報の品質を損なわず、書籍が持つ特性である携帯性も兼ね備えた見開き表示のブック型ディスプレイが提案されている（特許文献１参照）。また、文庫本サイズの電子書籍において、表示品質を良くして見やすくするために、２つの液晶ディスプレイ（ＬＣＤ：Ｌｉｑｕｉｄ  Ｃｒｙｓｔａｌ  Ｄｉｓｐｌａｙ）パネルから構成され、見開き可能な、画素あるいは画素間ピッチを２００μｍ以下にした電子書籍のディスプレイも提案されている（特許文献２参照）。
【０００３】
【特許文献１】
特開平９−２６７６９号公報（段落［００２９］〜［００３６］、図２〜図４参照）
【特許文献２】
特開平６−１３８８３９号公報（段落［０００６］〜［０００９］、図１参照）
【０００４】
【発明が解決しようとする課題】
しかしながら、前記従来の技術によれば、いずれも表示デバィスとしてＬＣＤが用いられており、解像度という観点から言えば、書籍に替わる役割を果たしていない。それは、現在のＬＣＤ技術における表示品質の限界が見えているためである。
また、従来の携帯情報機器には、本来携帯情報機器が持つべき機動性を意識したユーザインタフェースが備わっておらず、操作性や使い勝手の面で不都合があった。
【０００５】
本発明は、上記事情に鑑みてなされたものであり、活字品質の高精細表示を行う表示デバイスを用い、かつ、人間工学を意識したコンポーネント配置を行うことにより、操作性の改善と使い勝手の向上を図った携帯情報機器及び画像表示方法を提供することを目的とする。
【０００６】
【課題を解決するための手段】
前記課題を解決するために本発明は、活字品質の高精細表示を行うデバイス（例えば、電気泳動技術を用いた電子ペーパ）を表示デバイスとして用い、その表示デバイスに、カードメディアに保存された電子書籍や、Ｗｅｂ（Ｗｏｒｌｄ  Ｗｉｄｅ  Ｗｅｂ）画面や、無線インタフェースを介して入手される新聞やカタログを表示し、かつ、人間工学を意識したスイッチ等のコンポーネント配置を行うことにより、操作性の改善と使い勝手の向上を図った携帯情報機器及び画像表示方法を提供することができる。
なお、請求項における表示面の画素サイズによる記載内容は、発明の実施の形態においては、表示面の解像度により記載するものとする。以下に、その画素サイズと解像度との関係について示す。
・画素サイズ１２７．０μｍ以下  →  解像度２００ｐｐｉ以上
・画素サイズ  ８４．７μｍ以下  →  解像度３００ｐｐｉ以上
・画素サイズ  ４２．３μｍ以下  →  解像度６００ｐｐｉ以上
【０００７】
【発明の実施の形態】
以下、図面を参照しながら本発明の実施の形態について説明する。
【０００８】
≪第１の実施の形態≫
図１は、本発明の第１の実施の形態に係る携帯情報機器を示す図であり、携帯情報機器の表示面を開閉したときのそれぞれの正面図と平面図が示されている。
図１に示す携帯情報機器によれば、活字品質の高精細画像表示を行う表示面（以下、「メインディスプレイ１、２」という）を持つ表示デバイスが実装されているフレーム５、６は、結合部３において開閉自在に軸支されている。結合部３は、ヒンジ機構（蝶番）で構成され、結合部３を支点にメインディスプレイ１、２を見開き状態にして使用し（図１（ａ）参照）、結合部３を支点にメインディスプレイ１、２を重ねて二つ折りに収納して閉じて、携帯することができる（図１（ｂ）参照）。なお、結合部３は、左側のフレーム５と右側のフレーム６とを接続する部分を含めて、左側のフレーム５と右側のフレーム６とが重なる部分を指す。
活字品質の高精細画像表示を行う表示面としては、階調のない２００ｐｐｉ以上の解像度を持つもの、階調のある３００ｐｐｉ以上の解像度を持つもの、又は、望ましくは６００ｐｐｉ以上の解像度を持つものがあげられる。その定義や根拠等については後記する。
【０００９】
図２に示すように、見開き状態にしたメインディスプレイ１、２に電子書籍が表示され、結合部３の長手方向、中央下部に、横回転する縦長、円筒形の回転部４が実装されており、回転部４の操作を頁めくりの操作と関連付けることによって、頁めくりが行われる。なお、回転部４は、例えば、ジョグダイヤル（Ｒ）等である。
回転部４の操作によって得られる機械的な変化は、基本的に２方向（左右）の回転、２方向（上下）の変位及び押し込み変位という要素からなるが、それ以外に、各方向での回転量やその回転量に基づく演算によって各回転方向での回転速度も得ることができる。これによれば、回転部４の操作に伴う変化を頁めくりの操作と関連付けることにより、使い勝手の向上を図ることができる。
【００１０】
このことにより、ユーザは、書籍の頁をめくる感覚と同じ横方向に回転部４を操作でき、また、回転部４は、ユーザが携帯情報機器を片手で持ったときに操作し易い縦長構造となっており、かつ、滑り止めの縦筋が入っているため、操作性が良い。更に言えば、回転部４の回転によって、メインディスプレイ１、２に表示される画像を変更することができるわけであり、その使い方には十分工夫の余地がある。
【００１１】
また、メインディスプレイ１、２を持つ表示デバイスは、それぞれフレーム５、６に実装され、メインディスプレイ２の表示デバイスが実装される一方のフレーム６端部の空き位置に、当該携帯情報機器を操作するために必要なスイッチ類である電源スイッチ７及びファンクションスイッチ８が実装される。これらのスイッチ類は、操作したときに、メインディスプレイ１、２に表示された内容の視認を妨げないような位置、図２では、画面下の中央右位置に実装される。
更に、メインディスプレイ１、２を重ねて二つ折りに収納した状態で、スイッチ類が実装されない他方のフレーム５の、スイッチ類が実装されるフレーム６と重なる位置に、書籍のタイトル、著者、頁位置を含む書誌情報を表示するサブディスプレイ９が実装される（図２参照）。
【００１２】
図２では、右利きのユーザは右手でスイッチ類を操作するため、スイッチ類を右下に配置し、サブディスプレイ９を左下に配置する例を示したが、左利きのユーザ向けには、スイッチ類を左下に配置し、サブディスプレイ９を右下に配置することも考えられる。このように、スイッチ類、サブディスプレイ９の配置を人間工学的な見地で決定することにより、操作性の一層の向上が図れる。
スイッチ類については、単独でオン、オフされる以外に、そのスイッチが押されている時間等を監視することにより、それらの組み合わせで多くの機能を定義できることとする。また、表示サイズを大きくするために、フレーム全体にメインディスプレイ１、２を実装し、その画面端部にタッチパネルを表示することによるソフトウエア・キーボード入力を行なってもよい。この場合、サブディスプレイ９はフレーム前面に実装される。なお、ソフトウエア・キーボード以外に、リモコンや携帯電話等を用いた無線（Ｂｌｕｅｔｏｏｔｈ（Ｒ）、赤外線等）によるキー入力も考えられる。
【００１３】
一方、結合部３には、ＬＥＤ（Ｌｉｇｈｔ  Ｅｍｉｔｔｉｎｇ  Ｄｉｏｄｅ）から構成され、電源のオン、オフ状態を表示する電源インジケータ１０及びアクセスインジケータ１１も実装されており、見開き状態においては勿論のこと、メインディスプレイ１、２を重ねて二つ折りに収納して閉じた状態においても外部からそれらのインジケータを視認することが可能になっている。
ちなみに、本発明の実施の形態に係る携帯情報機器については、その収納時は、１５１ｍｍ×１０５ｍｍ×６ｍｍの文庫本サイズ、その使用時は、１５１ｍｍ×２０４ｍｍ×３ｍｍのサイズでフレーム５、６が設計される。使用時、片手で持ち操作するためには厚さ３ｍｍが最適であり、重量２００ｇ未満が好適である。
なお、前記実施の形態によれば、見開き状態にしたメインディスプレイ１、２のそれぞれに電子書籍が表示されるとしたが、所定のスイッチ操作又はソフトウエア・キーボード入力により、一方のメインディスプレイ１（２）に電子辞書が表示されてもよい。また、電子書籍が表示された場合には、スイッチ類やサブディスプレイ９を利用した、付箋やしおりに代わるマーキングの機能が付加され、利用者に利便性を提供するための配慮がなされるものとする。
【００１４】
図３は、他の表示事例であり、メインディスプレイ１に、通常の精細度でＷｅｂ画面が表示され、メインディスプレイ２に、そのＷｅｂ画面とは異なる活字品質の精細度で電子書籍が表示されている。
ここでは、Ｗｅｂ画面をカラー２００ｐｐｉ（ｐｉｘｅｌ  ｐｅｒ  ｉｎｃｈ：１インチあたりの画素数）の解像度で、電子書籍を６００ｐｐｉの解像度で表示するものとする。メインディスプレイ１、２に、解像度が異なる別々の内容を表示するためには、表示コントローラ及び表示メモリをそれぞれに独立して持てば容易に制御できるが、ここでは、省電力上、共通の表示コントローラを用い、また、共通の表示メモリを区画割りして制御することとする。カラー画像を含むＷｅｂ画面をメインディスプレイ１に表示したり、文字情報である電子書籍をメインディスプレイ２に表示したりする、表示データの表示面への振り分けは、解像度に応じて自動的に行われるものとする。なお、省電力化を一層進めるために、主メモリ中に表示メモリを割付け、ＣＰＵに表示コントローラの機能を実行させても良い。携帯情報機器の内部構成等の詳細は後記するものとする。
なお、Ｗｅｂ画面が表示されるメインディスプレイ１の表示デバイスが実装されるフレーム５の一部に太陽電池１２を実装することもできる。この場合、太陽電池１２は補助電源として使用し、主電源としては、リチウムイオン電池やポリマー電池を使用する。
前記実施の形態では、１画面にＷｅｂ画面を表示する例について示したが、Ｗｅｂ画面として左右２画面を割り当ててもよく、一方に専用サイトを表示し、他方にコンテンツを表示する左右非対称型と、左右交互に見たいコンテンツを表示する左右対称型が考えられる。特に、左右対称型については、画面分割し、左画面に表示された内容の続きを右画面に表示させる等のバリエーションも可能である。また、２画面を上下に配置して使用し、上下にスクロールさせることも考えられる。なお、いずれも画面のスクロールは２画面間で連動して行われるものとする。また、前記実施の形態ではメインディスプレイが２つある構成を説明したが、これは３つ以上のメインディスプレイを持つ構成でもよく、例えば、ヒンジ機構にて構成される結合部を２つ設けて３つのメインディスプレイを結合し、三つ折で収納するような構成でもよい。
【００１５】
図４は、更に他の表示事例であり、メインディスプレイ１、２に、通信部（図示せず）を介してネットワークから送信されてきたコンテンツ、ここでは電子新聞が表示されている。メインディスプレイ１には２００ｐｐｉで見出しが表示され、見出しを選択し、例えば、後記する入力ペンを用いてクリックすることにより、本文を入手することができ、その本文がメインディスプレイ２に６００ｐｐｉの解像度で白黒表示がなされる。
【００１６】
≪表示デバイスの表示原理≫
ここで、本発明の実施の形態に係る携帯情報機器に使用される表示デバイスについて簡単に説明する。ここでは、溶媒中の電荷を帯びた粒子が電界によって移動する電気泳動技術を用いたシートディスプレイが表示デバイスとして使用される。
図８に、その基本構造が示されている。すなわち、今、軟らかな透明カプセルを縦横密に並べて薄い透明フィルムとパネル基板で挟んだ状態を仮定する。このように並んだカプセルの内部は、滑らかなオイルで満たされ、そこに黒と白の微粒子が大量に入っている。本実施の形態では、透明フィルム側の電極は一定（例えば、０Ｖ）とし、対向するパネル基板側電極の電圧をプラス又はマイナスに変動させることによって粒子を移動させる。例えば、黒い粒はマイナス、白い粒はプラスの電荷を帯びている場合、スイッチを入れるとパネルに電流が流れ、ある場所にはプラス、別の場所にはマイナスの電圧が生じるようになっていて、次の瞬間、カプセル内の黒い粒と白い粒がオイルの中を泳ぐように透明フィルム面に引き寄せられる。プラスの場所に黒い粒が、マイナスの場所に白い粒が張り付く。これを透明フィルムの表側から見た状態（図中、目マーク）がシートディスプレイに刷られた文字とその余白ということになる。
【００１７】
ところで、電気を切っても静電気の働きで暫く文字は剥がれない。書替えるときのみ、また電圧を印加する必要がある。このことにより、微粒子群が一斉に剥がれ、オイルの中を再び泳ぐように移動して別の場所に張り付く。この働きを電気泳動という。
パネル基板は、アクティブマトリクスと称し、画素単位で細かに電圧が印加される仕組みになっている。基本的には液晶ディスプレイ等と同様にＴＦＴ（Ｔｈｉｎ  Ｆｉｌｍ  Ｔｒａｎｓｉｓｔｏｒ、薄膜トランジスタ）等で構成される。光が突き抜ける透過型ディスプレイと異なり、反射型であるため、バックライトが不要という利点があり、また、書替え時のみ駆動電力が必要となるため、バッテリ容量が少なくて済み、従って、携帯情報機器を薄く、軽く設計できる。また、カラーフィルタを重ねることによりカラー化が実現される。
【００１８】
≪第２の実施の形態≫
図５は、本発明の第２の実施の形態に係る携帯情報機器を示す図であり、携帯情報機器を開閉したときのそれぞれの正面図と断面図が示されている。
図１に示す第１の実施の形態との差異は、フレーム両面に表示デバイスが実装されることなく、メインディスプレイ１の表示デバイスのみ実装されている点と、そのサイズにある。ここでは、Ａ４サイズのメインディスプレイ１の表示デバイスが一方のフレームに実装され、他方のフレームは、携帯情報機器を携帯するときにメインディスプレイ１を覆って保護する蓋１４になっている。ちなみに、表示デバイスが実装されているフレーム５は、２９７ｍｍ×２３０ｍｍ×５ｍｍ（蓋無しのサイズ）で設計され、蓋１４付きの場合は厚さが６ｍｍになる。
図５に示す携帯情報機器によれば、活字品質の高精細表示を行うメインディスプレイ１を持つ表示デバイスが実装されるフレーム５は、その結合部３において蓋１４と回動自在に軸支されている。結合部３は、ヒンジ機構（蝶番）で構成され、結合部３を支点にメインディスプレイ１を見開き状態にして視認しながら使用し（図５（ａ）参照）、結合部３を支点にメインディスプレイ１と蓋１４を重ねて閉じて、フレーム５を保護した状態で携帯することができる（図５（ｂ）参照）。
【００１９】
また、メインディスプレイ１が実装されるフレーム５と、蓋１４の長手方向のサイズが、一方は２９７ｍｍであるのに対し、他方は２７５ｍｍとなっており、このサイズ差に相当するメインディスプレイ１のフレーム部分にサブディスプレイ９が収納され、外部から視認可能となっている。なお、サブディスプレイ９の代わりに図３における太陽電池１２が実装されてもよい。
このことにより、蓋１４が閉じられた状態であっても、サブディスプレイ９に表示された内容を確認することができ、また、太陽電池１２による充電が可能になる。
【００２０】
それぞれの実装例を図６に示す。図６（ａ）がサブディスプレイ９の実装例、図６（ｂ）が太陽電池１２の実装例である。ここでは、メインディスプレイ１に、例えば、無線ＬＡＮ（Ｌｏｃａｌ  Ａｒｅａ  Ｎｅｔｗｏｒｋ）を介して入手される新聞が表示される。図６（ａ）に示したサブディスプレイ９には、その新聞の見出しや現在の時刻が表示され、外部から視認可能となっている。これによれば、蓋１４が閉じられた状態であっても、サブディスプレイ９を見ることによって、そのときメインディスプレイ１に表示されているコンテンツの概要やその他の情報を知ることができる。また、図６（ｂ）に示す太陽電池１２は、蓋１４を閉じた状態にあっても外部に晒されるため、太陽光を取り込んで充電することが可能になり、補助電源として主電源のポリマ電池を補助することができる。
なお、メインディスプレイ１に表示されるコンテンツとしては、他に、展覧会や展示会において配布されるカタログ等も考えられる。この場合、例えば、ユーザは、展示会場の入口のゲートを通過すると、展示製品のカタログ類のデータが、近距離無線通信によってそのユーザが持っている携帯情報機器にダウンロードされるので、必要に応じてそのカタログ類のデータを閲覧することができる。
また、この携帯情報機器は、図１に示す携帯情報機器と同様に、回転部による頁めくり機能の実装を可能とし、その他に、表示の拡大縮小、コンテンツ蓄積、選択を行うためのユーザインタフェースを持つことができる。また、検索速度向上のために、お気に入りや履歴機能等、コンテンツのソート・ディレクトリ構造を作り込むために、リスト構造をパソコン等により編集した後、この携帯情報機器に転送することができる。
【００２１】
図５に説明を戻すと、メインディスプレイ１の表示デバイスが実装されるフレーム５の左端面には２５ｍｍ程度の空きスペースがあって、ここに、メインディスプレイ１に表示された内容を操作するために必要な入力ペン１３の収納スペースが確保される。また、電源スイッチ７やファンクションスイッチ８等のスイッチ類も実装されている。
入力ペン１３は、利き手に応じて、入力ペン１３を取りやすく収納し易い位置に、また、スイッチ類は、携帯情報機器を持ったときに操作しやすい位置に実装される。ここでは、フレーム５の左端面は手持ち位置としても活用され、持ち歩き易いようにメインディスプレイ１に向かいスロープが施されている（図５の丸枠Ａ）。また、携帯するために蓋１４を閉めたときは、フレーム表面がフラットになるように（図５の丸枠Ｂ）、使用するために蓋１４を開いたときは、メインディスプレイ１の表示デバイスが実装されるフレーム５の背面にフラットフィットするように（図５の丸枠Ｃ）、蓋１４は結合部３を軸に３６０°回転する。
なお、ここでは右利き用の配置が示されており、左利きの場合は左右反転した位置となる。
【００２２】
図７は、いずれも資料ビューアとしての表示事例を示したものであり、図７（ａ）は、ＰｏｗｅｒＰｏｉｎｔ（登録商標）で作成した文書等の表示用である横長対応型の表示事例、図７（ｂ）は、ＰＤＦ（Ｐｏｒｔａｂｌｅ  Ｄｏｃｕｍｅｎｔ  Ｆｏｒｍａｔ）文書等の表示用である縦長対応型の表示事例を示す。
前者は、画面下のフレームに入力ペン１３及びスイッチ類が、また、画面左のフレームに太陽電池１２が実装されている。後者は、画面左のフレームに入力ペン１３及びスイッチ類が、また、画面上のフレームに太陽電池１２が実装されている。換言すれば、図７（ａ）と（ｂ）は、同じ携帯情報機器の図であるが、前者は、横長の文書を表示した状態、後者は、縦長の文書を表示した状態を示している。なお、同じ画像データを横長、縦長の両方の表示をすることができ、また、その表示切換を行うこともできるものとする。
ここで、入力装置について補足説明を行なう。前記実施の形態では、入力装置として、回転部４、スイッチ類、入力ペン１３が例示されているが、必要に応じて、タッチパネル、ローラ、タブレット等を付加することが考えられる。すなわち、タッチパネルによるＵＲＬ入力、ローラによる前後画面への移動やウィンドウ間の移動操作、タブレットによるポインティング等により入力操作を補助するものである。なお、回転部４については、電子書籍の頁めくり以外にリンクの順次選択用にも使用可能である。
【００２３】
≪携帯情報機器の内部構成と動作≫
図９は、本発明の実施の形態に係る携帯情報機器の内部構成を示すブロック図である。本発明の携帯情報機器は、ＣＰＵ２１、主メモリ２２、フラッシュメモリ２３、無線ＬＡＮコントローラ２４、描画／表示コントローラ２５、表示メモリ２６、認識ＬＳＩ２７、カードコントローラ２８、入出力コントローラ２９で構成され、それぞれアドレス、データ、コントロールのためのラインが複数本で構成される内部バス３０を介して接続される。
なお、主電源はポリマ電池とし、太陽電池を補助電源として用いる（図示せず）。また、図９において、図１〜図７に示す符号と同一符号が付されたブロックは、図１〜図７に示すものと同一とする。
【００２４】
まず、携帯情報機器に電子書籍を表示するために、ユーザは、電子書籍が格納されたカード５０をカードコントローラ２８に挿入する。ＣＰＵ２１は、主メモリ２２に記録されたプログラムに基づき、カードコントローラ２８、内部バス３０を介してその電子書籍を取り込み、主メモリ２２の作業領域に格納する。
次に、描画／表示コントローラ２５は、ＣＰＵ２１のコントロールの下、電子書籍を主メモリ２２から読み込んで表示メモリ２６に展開する。描画／表示コントローラ２５は、更に、表示メモリ２６に展開された電子書籍を表示デバイスの表示タイミングに従って読み出し、メインディスプレイ１、２に表示する。
なお、ここでは、簡単のために、表示メモリ２６は、２頁分の画面容量を持ち、メインディスプレイ１、２の画面にそれぞれ対応しているものとする。
本実施の形態は主メモリと表示メモリを個別に設けた構成であるが、これらはシートディスプレイが大型化する要因を持つ。これを避ける１つの手段としては、主メモリと表示メモリを統合したユニファイドメモリを備えることがある。この構成によって、小型化、薄型化が可能になるという効果を奏する。つまり、ＣＰＵが処理するプログラムと表示データとを１つのメモリに格納するものである。このように１つに統合したメモリを用いる場合、このメモリに対するアクセスが競合しバスをどちらかで占有するという事態が生じることがあるが、これはバス調停機能を備えることによって解消することができる。
【００２５】
ユーザが回転部４を操作することにより頁めくりの指示があったとき、ＣＰＵ２１は、入出力コントローラ２９、内部バス３０を介してその指示を取り込む。そして、新たに表示する頁の内容を主メモリ２２から読み出して、描画／表示コントローラ２５を介して表示メモリ２６を更新し、その更新した内容をメインディスプレイ１、２に供給する。これにより、「頁めくり後」の頁がメインディスプレイ１、２に表示される。
回転部４を横回転させることによって、その回転量が計測され、その回転方向及び回転量により、現在メインディスプレイ１、２に表示されている頁を基準に、新たに表示すべき頁が特定されるように、回転部４の回転量と頁数との対応関係が予め定義されている。また、例えば、回転部４に回転抵抗を付与することによって頁をめくる臨場感を持たせてもよいし、スピーカーをフレーム５、６に付加することによって頁をめくるときに効果音が出るようにして臨場感を持たせてもよい。更に、頁めくり機能としては、左右に回転して頁をめくるジョグダイヤル（Ｒ）等の回転部の他に、マウスパッドを有し、その上を指で左右に動かすことで頁をめくるようなものであってもよい。
【００２６】
なお、スイッチ類のユーザ操作による指示についても、ＣＰＵ２１によって入出力コントローラ２９及び内部バス３０を介して取り込まれ、予めスイッチ類毎に定義されたプログラムの実行が行われる。
また、インジケータ表示については、ＣＰＵ２１が、主メモリ２２に記録されたプログラムに基づいて処理した結果によって、例えば、アクセスインジケータ１１をオンする命令を生成し、その命令を内部バス３０及び入出力コントローラ２９経由でアクセスインジケータ１１に出力することで、アクセスインジケータ１１を点灯させることができる。
【００２７】
一方、携帯情報機器にＷｅｂ画面を表示するために、ユーザは、ファンクションスイッチ８を押下することによりＷｅｂアクセスを指示する。このことにより、無線ＬＡＮコントローラ２４は、ＣＰＵ２１によるコントロールの下でサイトアクセスを実行し、そのサイトから必要なコンテンツを入手して主メモリ２２又はフラッシュメモリ２３に取り込む。
ＣＰＵ２１は、主メモリ２２又はフラッシュメモリ２３からそのコンテンツを読み出し、Ｗｅｂ画面として生成して描画／表示コントローラ２５を起動する。描画／表示コントローラ２５は、主メモリ２２からＷｅｂ画面情報を読み込んで表示メモリ２６へ展開し、更に、表示メモリ２６に展開されたＷｅｂ画面情報を表示デバイスの表示タイミングに従って読み出し、メインディスプレイ１、２に供給し、表示する。
【００２８】
なお、ファンクションスイッチ８の押下によりサイト単位のアクセスメニュ一覧が表示され、ユーザがその中からアクセスすべきサイトを選択するものとする。また、図３に示す画面表示例では、異なる内容を、それぞれ解像度が異なる状態で表示しているが、これは、異なる解像度に対応する描画／表示コントローラ２５を別々に備えるか、又は、高解像度で描画及び表示可能なコントローラを用い、低い解像度で表示する画面を生成するときに内部で解像度を落とす処理を行うことにより実現される。
【００２９】
次に、入力ペン１３による操作指示があった場合の動作について、図４に示す画面を例示して説明する（適宜図９参照）。図４の携帯情報機器の左側の画面（メインディスプレイ２）には電子新聞が表示されている。一方の画面（メインディスプレイ１）には見出しが表示されており、ユーザは、この見出しの中から詳細を知りたい見出しを選択し、入力ペン１３でその見出しをポインティングすることにより、他方の画面（メインディスプレイ２）にその本文を表示することができる。
すなわち、入力ペン１３でポインティングされた座標は、認識ＬＳＩ２７が演算することにより認識し、ＣＰＵ２１に通知される。ＣＰＵ２１で、その座標と表示内容との対応が調べられ、見出しに対応する本文がフラッシュメモリ２３又は無線ＬＡＮコントローラ２４経由で外部から取り込まれ、メインディスプレイ２に表示される。
【００３０】
≪その他の実施の形態≫
以上本発明について好適な実施の形態について示したが、本発明は前記実施の形態に限定されず、本発明の趣旨を逸脱しない範囲で適宜変更が可能である。例えば、図面において、サイズ（長さや厚さ等）を示している箇所があるが、本発明は、それらのサイズに限定されるものではなく、他のサイズであってもよい。
図２、図６に、サブディスプレイ９が示され、そのサブディスプレイ９には、タイトル、頁、時間等のデータが表示されているが、その内容は、予め電子書籍に格納されているものでもよいし、その都度ＣＰＵ２１が生成するものであってもよい。ここでは、サブディスプレイ９のための表示メモリ領域が主メモリ２２内に割り付けられてあるものとし、その領域にサブディスプレイ９の表示内容が書き込まれ、更に、その表示内容が読み出されてサブディスプレイ９に供給されるものとする。
【００３１】
メインディスプレイ１、２に表示される内容については、独立した表示メモリ２６を用意し、描画／表示コントローラ２５によって表示内容が書き込まれ、更に、読み出されて表示されるものとして説明したが、サブディスプレイ９同様、主メモリ２２の一部領域に表示メモリ領域を割り付け、ＣＰＵ１１が表示内容を書き込み、かつ、読み出してメインディスプレイ１、２へ供給するようにしてもよい。この場合、ＣＰＵ１１の負担は増えるが、軽薄短小化を目指す実装上の制限及び省電力化の観点からこの方が望ましい。
また、前記実施の形態によれば、表示デバイスとして、電気泳動技術を用いて高精細表示を行うシートディスプレイを示したが、これに制限されることなく、カラー表示で２００ｐｐｉ以上、白黒表示で３００ｐｐｉ以上、望ましくは白黒表示で６００ｐｐｉ以上の解像度を持ち、厚さがフレームも含めて３ｍｍ程度で実現できる表示デバイスであれば、液晶ディスプレイ、有機ＥＬ（Ｅｌｅｃｔｒｏｌｕｍｉｎｅｓｃｅｎｃｅ）等でも代用できる。
【００３２】
≪活字品質の高精細表示について≫
ここで、「活字品質の高精細表示」について定義付けを行うと共に、その解像度の根拠について説明する。
まず、図１０に、活字品質の高精細画像表示のための解像度を明らかにするために行った主観評価実験結果を示す。本実験では、文庫本を模擬して文字サイズ約３．５ｍｍの漢字かな混じりの和文を各種解像度により印刷し、その印刷物を評価したものである。図１０では、階調表示可能なディスプレイにおいて中間調を活用して視覚的に文字を滑らかに表示させる、いわゆるアンチエリアスを用いた表示（階調のある画像表示）を模擬した「８ｂｉｔ階調プリント」と、階調のない画像表示を模擬した「１ｂｉｔモノクロプリント」とを併記した。
主観評価の被験者は、１０人（男性８人、女性２人）で、いずれも画像デバイス研究に従事している研究者である。実験手法としては、二重刺激劣化尺度法という、参照画像を基準としてテスト画像に評価点数を付け画質の良さの程度を評価するものである。その評価を、画質の悪さに関して、「非常に気になる」、「気になる」、「やや気になる」、「判るが気にならない」及び「判らない」の５段階で行った。
評価値が「判るが気にならない」と「やや気になる」との中間である活字品質に必要な解像度許容値は「８ｂｉｔ階調プリント」で２００ｐｐｉ、「１ｂｉｔモノクロプリント」で３００ｐｐｉとなっており、これ以上の解像度において活字品質の高精細画像表示となる。ここで、階調のない画像表示を行う場合、画像を保持するいわゆるメモリ性を付与することが容易となる。ディスプレイにおけるメモリ性は電気泳動、液晶等の表示部において持たせてもよいし、各画素回路部に容量、スイッチ等により付与することも可能である。
【００３３】
次に、活字がはっきり表示できる解像度について説明する。
低解像度で画数の多い難しい漢字を表示する場合、文字を省略しての表示が行われており、人間が正確な漢字を忘れてしまう問題がある。そのためにも省略されていない漢字表示が可能な高精細画像表示が必要となる。画数の多い文字としては、例えばＪＩＳ漢字コードの第二水準漢字の中にあるようなものがある。具体的には、図１１に示すように、「鬱」のＡＡ’及び「鸞」のＢＢ’の切線における横線及び斜め線の数は、それぞれ１１本及び１３本であり、これらの文字を省略なく表示するため線数の２倍＋１以上の画素数が必要となる。これを文庫本等で常用されている３．５ｍｍ程度の文字サイズで表示する場合、画素ピッチ１３０μｍ以下で概ね２００ｐｐｉ以上の解像度が必要である。さらに、図１１からも判るように文字表示において、黒線より白部が広い方が好ましく、このために白部を線数の倍とすると文字表示に必要な画素数は線数の３倍＋１以上となり、これを文庫本等で常用されている３．５ｍｍ程度の文字サイズで表示する場合、画素サイズ８４．７μｍ以下で概ね３００ｐｐｉ以上の解像度が必要となる。
つまり、表示デバイスの表示面を画素サイズが８４．７μｍ以下とする、または３００ｐｐｉ以上の解像度にすることで第二水準漢字にあるような画数の多い漢字を含んだ場合でもすべて省略せずに表示することができる。
【００３４】
【発明の効果】
以上の説明のように、本発明によれば、活字品質の高精細表示を行う表示デバイスを用い、かつ、人間工学を意識したコンポーネント配置を行うことにより、操作性の改善と使い勝手の向上を図った携帯情報機器及び画像表示方法を提供することができる。
【図面の簡単な説明】
【図１】本発明の第１の実施の形態に係る携帯情報機器を示す図である。
【図２】図１の表示事例を示す図である。
【図３】図１の表示事例を示す図である。
【図４】図１の表示事例を示す図である。
【図５】本発明の第２の実施の形態に係る携帯情報機器を示す図である。
【図６】図５の表示事例を示す図である。
【図７】図５の表示事例を示す図である。
【図８】本発明の実施の形態に係るシートディスプレイの表示原理を示す図である。
【図９】本発明の実施の形態に係る携帯情報機器の内部構成を示すブロック図である。
【図１０】本発明の実施の形態に係る活字品質の高精細表示の解像度と主観評価の関係を示す図である。
【図１１】本発明の実施の形態に係る活字品質の高精細表示の解像度を説明する図である。
【符号の説明】
１、２…メインディスプレイ
３…結合部
４…回転部
５、６…フレーム
７…電源スイッチ
８…ファンクションスイッチ
９…サブディスプレイ
１０、１１…インジケータ（ＬＥＤ）
１２…太陽電池
１３…入力ペン
１４…蓋
【図１】
2004302179.tif 000003
【図２】
2004302179.tif 000004
【図３】
2004302179.tif 000005
【図４】
2004302179.tif 000006
【図５】
2004302179.tif 000007
【図６】
2004302179.tif 000008
【図７】
2004302179.tif 000009
【図８】
2004302179.tif 000010
【図９】
2004302179.tif 000011
【図１０】
2004302179.tif 000012
【図１１】
2004302179.tif 000013